(57)【特許請求の範囲】
【請求項１】
ガスコンロの本体に回動自在に、かつ、対向して取り付けられた少なくとも一対の五徳であって、各対を構成する五徳は前記ガスコンロの本体の中心に対して相互に反対方向にオフセットされて取り付けられており、
前記五徳は、前記ガスコンロの本体に対して斜め上方かつ外側に延びる第一部分と、該第一部分の先端から鉛直上方に延びる第二部分と、該第二部分の先端から水平方向に前記ガスコンロの本体に向かって延びる第三部分とからなるものであることを特徴とするガスコンロの五徳。
【請求項２】
オフセットの量は各五徳に対して全て同じであることを特徴とする請求項１に記載のガスコンロの五徳。
【請求項３】
オフセットの量は五徳を構成する素材の横幅の半分に等しいことを特徴とする請求項１又は２に記載のガスコンロの五徳。
【請求項４】
前記五徳は棒材からなるものであることを特徴とする請求項１乃至３の何れか一項に記載のガスコンロの五徳。
【発明の詳細な説明】
【０００１】
【発明の属する技術分野】
本発明はいわゆるアウトドア用の携帯用ガスコンロに関し、より詳細には、携帯用ガスコンロの構成要素の一つである五徳の構造に関する。
【０００２】
【従来の技術】
図３に従来の携帯用ガスコンロの一例を示す。一般に、携帯用ガスコンロ１０は、可燃ガスが圧縮して詰められているガスカートリッジ１１と、このガスカートリッジ１１に着脱自在に取り付けられるガス燃焼器１２とからなる。ガスカートリッジ１１とガス燃焼器１２とはガスケット１３を介してシールした状態の下に取り付けられている。
【０００３】
ガス燃焼器１２は、ガスカートリッジ１１に連結され、ガスカートリッジ１１から供給される可燃ガスが通過する器具栓１４と、器具栓１４の内部に形成されているガス通過口の開口度を調節することにより器具栓１４の内部を通る可燃ガスの流量を調整するガス流量調整スピンドルに連結されているツマミ１５と、表面に複数の開口部１６ａが形成されているバーナーヘッド１６と、器具栓１４とバーナーヘッド１６とを連結する混合管１７と、混合管１７に取り付けられている４個の五徳１８（図３では、２個の五徳１８のみが描かれているが、図３の紙面と垂直な方向に、図示した五徳１８と同様の一対の五徳が設けられている）とからなる。
【０００４】
この携帯用ガスコンロは次のように用いられる。
加圧状態にある可燃ガスはガスカートリッジ１１から器具栓１４に進入し、ガス流量調整スピンドルに連結したツマミ１５によって、ガス流量が調整された状態で混合管１７に進入する。混合管１７には、複数の開口１７ａが形成されており、可燃ガスが混合管１７の内部を通過する際に生じる負圧によって、開口１７ａから外部の空気が混合管１７の内部に取り込まれる。可燃ガスは開口１７ａから取り込まれた空気と混合し、可燃ガスと空気との混合ガスになる。
【０００５】
この混合ガスはバーナーヘッド１６の内部に進入した後、開口部１６ａから噴出し、電気式イグナイターその他の適当な手段により着火される。着火され、燃焼状態にある混合ガスは炎となって、五徳１８の上に載せられた被加熱物（なべ、やかん、食料品など）を加熱する。
【０００６】
一般に、アウトドア用製品は、携帯用ガスコンロに限らず、占有面積がより小さいことが望まれている。このため、五徳１８が占有するスペースもより小さくなるように種々の工夫が提案されている。
【０００７】
従来は、五徳１８は混合管１７に固着され、図３の破線で示す位置に固定されたままの状態であった（例えば、実開平２−７３５０１号公報、実開平５−６９５０６号公報、特開平６−１５９６８３号公報など）。しかしながら、これでは五徳１８以外の携帯用ガスコンロの構成要素と比較して、五徳１８の占有面積のみが大きくなり、結果として、携帯用ガスコンロ全体としても大きなスペースを必要とすることになる。
【０００８】
このため、混合管１７に回動自在に取り付けられた五徳１８が提案されている（例えば、実開平６−４６２０４号公報）。この五徳１８は図３の破線で示す位置と実線で示す位置との間を自在に回動することができる。携帯用ガスコンロの使用時には破線で示す位置まで五徳１８を回動させ、非使用時には実線で示す位置まで五徳１８を回動させることにより、破線で表されるスペースと実線で表されるスペースの差の分だけ五徳１８が占めるスペースを小さくすることができるようになっている。
【０００９】
【発明が解決しようとする課題】
図３に示した回動自在の４個の五徳１８は、それらの先端が何れもバーナーヘッド１６の頂面の中心付近に接地するように形成されている。このため、五徳１８を回動自在に構成することにより、破線で表されるスペースと実線で表されるスペースの差の分だけ五徳１８が占めるスペースを小さくすることができるが、五徳１８が図３の実線位置にあるときであっても、五徳１８とガスコンロ本体（バーナーヘッド１６及び混合管１７）との間にはかなりのスペースがなおも残っており、ガスコンロ全体の占有面積を小さくするという所期の目的は必ずしも達成されていない。
【００１０】
本発明はこのような従来のガスコンロの五徳における問題点に鑑みてなされたものであり、ガスコンロ全体の占有面積をより小さくすることができるガスコンロの五徳を提供することを目的とする。
【００１１】
【課題を解決するための手段】
この目的を達成するため、本発明のうち、請求項１は、ガスコンロの本体に回動自在に、かつ、対向して取り付けられた少なくとも一対の五徳であって、各対を構成する五徳は前記ガスコンロの本体の中心に対して相互に反対方向にオフセットされて取り付けられており、前記五徳は、前記ガスコンロの本体に対して斜め上方かつ外側に延びる第一部分と、該第一部分の先端から鉛直上方に延びる第二部分と、該第二部分の先端から水平方向に前記ガスコンロの本体に向かって延びる第三部分とからなるものであることを特徴とするガスコンロの五徳を提供する。
【００１２】
本請求項に係るガスコンロの五徳によれば、各対の五徳はガスコンロの本体の中心に対して相互に反対方向にオフセットされているため、ガスコンロ本体上に五徳を回動させても、各対を構成する各五徳は相互に干渉しない。すなわち、対をなす各五徳はガスコンロ本体の中心付近に集まることなく、ガスコンロ本体の中心を越えて、ガスコンロ本体の反対側まで回動することができる。このため、図３に示したような各五徳１８とガスコンロ本体１６，１７との間のスペースをほぼなくすことができ、ガスコンロ全体としての占有面積を小さくすることができる。
【００１３】
オフセットの量は各五徳に対して全て同じである必要はなく、五徳毎に異なるオフセット量を設定してもよい。ただし、オフセット量を全ての五徳に対して同じにすれば、五徳をガスコンロ本体に対して閉じたときのバランスが良くなるという効果を期待できる。
【００１４】
また、請求項３に記載されているように、オフセットの量は五徳を構成する素材の横幅の半分に等しく設定することが好ましい。このように設定することにより、各五徳をガスコンロ本体に対して閉じたときに、対をなす五徳の間の隙間がゼロになりスペース節約上最も有効である。
【００１５】
本発明における五徳の形状は任意であり、特に限定されるものではないが、例えば、五徳は、前記ガスコンロの本体に対して斜め上方かつ外側に延びる第一部分と、該第一部分の先端から鉛直上方に延びる第二部分と、該第二部分の先端から水平方向に前記ガスコンロの本体に向かって延びる第三部分とから構成することができる。
【００１６】
また、本発明における五徳は板材その他の各種形態を有する材料からつくることができるが、特に、棒材からつくることが好ましい。
【００１７】
【発明の実施の形態】
図１（Ａ），（Ｂ）に本発明に係る五徳を用いたガスコンロの一実施形態を示す。図１（Ａ）は本実施形態に係るガスコンロを上方からみた平面図であり、図１（Ｂ）は正面から見た正面図である。
【００１８】
本実施形態に係るガスコンロ２０は、可燃ガスが圧縮して詰められているガスカートリッジ２１と、このガスカートリッジ２１に着脱自在に取り付けられるガス燃焼器２２とからなる。ガスカートリッジ２１とガス燃焼器２２とはガスケット２３を介してシールした状態の下に取り付けられている。
【００１９】
ガス燃焼器２２は、ガスカートリッジ２１に連結され、ガスカートリッジ２１から供給される可燃ガスが通過する器具栓２４と、器具栓２４の内部に形成されているガス通過口の開口度を調節することにより器具栓２４の内部を通る可燃ガスの流量を調整するガス流量調整スピンドルに連結されているツマミ２５と、表面に複数の開口部２６ａが形成されているバーナーヘッド２６と、器具栓２４とバーナーヘッド２６とを連結する混合管２７と、混合管２７の外周に等間隔に取り付けられている４個の五徳２８とからなる。
【００２０】
ツマミ２５は器具栓２４に対して回動自在に取り付けられており、かつ、ツマミ２５には圧縮バネ（図示せず）が内蔵されており、図１（Ａ）の矢印Ａ又はＢで示す何れの方向に回動させても、図１（Ａ）に示す位置に復帰するようになっている。
【００２１】
本実施形態に係る携帯用ガスコンロは次のように用いられる。
加圧状態にある可燃ガスはガスカートリッジ２１から器具栓２４に進入し、ガス流量調整スピンドルに連結したツマミ２５によって、ガス流量が調整された状態で混合管２７に進入する。混合管２７には、複数の開口２７ａが形成されており、可燃ガスが混合管２７の内部を通過する際に生じる負圧によって、開口２７ａから外部の空気が混合管２７の内部に取り込まれる。可燃ガスは開口２７ａから取り込まれた空気と混合し、可燃ガスと空気との混合ガスになる。
【００２２】
この混合ガスはバーナーヘッド２６の内部に進入した後、開口部２６ａから噴出し、電気式イグナイターその他の適当な手段により着火される。着火され、燃焼状態にある混合ガスは炎となって、五徳２８の上に載せられた被加熱物（なべ、やかん、食料品など）を加熱する。
【００２３】
本実施形態に係るガスコンロにおいては、各五徳２８は混合管２７に対して鉛直面内において回動自在であるように混合管２７の基部に取り付けられており、混合管２７に対して最も開いた第一位置（図１（Ｂ）の実線で示す位置）と、混合管２７に対して最も閉じた第二位置（図1(Ｂ）の破線で示す位置）との間を自在に回動することができるように構成されている。
【００２４】
各五徳２８は棒材からつくられている。各五徳２８は、第一位置（実線で示す位置）にあるときの状態で見て、混合管２７に対して斜め上方かつ外側に延びる第一部分２８ａと、該第一部分２８ａの先端から鉛直上方に延びる第二部分２８ｂと、該第二部分２８ｂの先端から水平方向に混合管２７に向かって延びる第三部分２８ｃとからなっている。
【００２５】
図１（Ａ）に示すように、各対を構成する２個の五徳２８は相互に対向して混合管２７に取り付けられているとともに、バーナーヘッド２６の中心Ｃに対して相互に反対方向にオフセットされて取り付けられている。すなわち、第一の五徳２８Ａは中心Ｃから見て時計方向にオフセットされて取り付けられており、第一の五徳２８Ａと対をなす第二の五徳２８Ｂも中心Ｃから見て時計方向にオフセットされて取り付けられている。
【００２６】
また、バーナーヘッド２６の中心Ｃからのオフセット量は４個の五徳２８において全て等しく「ｄ」に設定されている。このオフセット量ｄの値は、例えば、五徳２８を構成する棒材の直径をＤとすると、ｄ≧Ｄ／２の範囲内において任意に設定し得る（ｄ＜Ｄ／２とすると、五徳２８を第二位置に回動させたときに、対をなす五徳２８が相互に干渉し合うことになる）。
【００２７】
仮に、オフセット量ｄを
ｄ＝Ｄ／２
に設定すれば、対をなす各五徳２８を第二位置（破線で示す位置）に回動させた場合、対をなす各五徳２８の間の隙間はゼロになり、スペース節約上最も有効である。五徳２８を棒材以外の形状の素材でつくった場合には、上記の式における直径Ｄをその素材の横幅で置き換えればよい。
【００２８】
以上のように、本実施形態に係るガスコンロにおける五徳２８は、各対ごとにバーナーヘッド２６の中心に対してオフセットされて配置されているため、対をなす各五徳２８を第一位置（実線で示す位置）から第二位置（破線で示す位置）まで回動させても、各五徳２８が相互に干渉することがなく、図１（Ｂ）に示すように、各五徳２８をバーナーヘッド２６の直近の位置まで回動させることができる。従って、図３に示した従来のガスコンロの五徳と異なり、五徳をガスコンロ本体に対して閉じた場合における五徳とガスコンロ本体との間のスペースをほぼなくすことができ、ガスコンロ全体の占有面積を従来のガスコンロの占有面積よりも一層小さくすることができる。
【００２９】
図２（Ａ），（Ｂ）は４個の五徳２８を畳んだ状態を上から見た平面図であり、４個の五徳２８の畳み方の例を示すものである。
図２（Ａ）に示す例は、第一の対をなす五徳２８Ａ，２８Ｂを第二位置に回動させた後、第二の対をなす五徳２８Ｃ，２８Ｄを五徳２８Ａ，２８Ｂの上方にかぶさるようにして第二位置まで回動させた例である。この例によれば、ガスコンロを使用する際に五徳２８を開きやすい形で畳むことができる。
【００３０】
図２（Ｂ）に示す例は、第一の対をなす五徳２８Ａ，２８Ｂと第二の対をなす五徳２８Ｃ，２８Ｄが相互に交差するように各五徳を第二位置まで回動させた例である。この例によれば、各五徳２８Ａ乃至２８Ｄは相互に交差し合って自力で開くことはないので、ガスコンロを持ち運びする際には、この畳み方が便利である。
【００３１】
【発明の効果】
以上のように、本発明に係るガスコンロの五徳によれば、各五徳は相互にオフセットした状態で配置されているため、相互に干渉することなく畳むことができる。このため、従来のガスコンロの五徳よりも小さいスペースの中に五徳を畳み込むことができ、その結果として、ガスコンロ全体の占有面積をより小さくすることが可能である。
【図面の簡単な説明】
【図１】（Ａ）は本発明に係るガスコンロの五徳の一実施形態の平面図、（Ｂ）は正面図である。
【図２】（Ａ），（Ｂ）は五徳の畳み方の一例を示す平面図である。
【図３】従来のガスコンロの五徳の正面図である。
【符号の説明】
１１，２１  ガスカートリッジ
１２，２２  ガス燃焼器
１３，２３  ガスケット
１４，２４  器具栓
１５，２５  ツマミ
１６，２６  バーナーヘッド
１７，２７  混合管
１８，２８  五徳
２８ａ  第一部分
２８ｂ  第二部分
２８ｃ  第三部分
ｄ  オフセット量
Ｄ  五徳の直径
【図１】
0003679566.tif 000002
【図２】
0003679566.tif 000003
【図３】
0003679566.tif 000004